(57)【要約】【課題】１つの画像が複数の目的に使用される場合、使用目的に最適な読み取り処理を実行することができる画像処理装置を提供することを目的とする。【解決手段】同一原稿を異なった設定で複数回読み取る原稿読み取り手段と、読み取った画像データに、画像処理を施す画像処理手段と、上記画像処理が施された画像データを、記憶する画像データ記憶手段と、記憶された画像データを読み出す画像読み出し手段と、読み出した画像を、印刷する画像印刷手段と、上記原稿読み取り手段が読み取った複数画像に、個別の複数画像形式付属情報を付加する複数画像形式付属情報付加手段と、複数画像形式付属情報が付加されている複数の画像データを、複数画像形式ファイルとして保存するファイル保存手段と、上記複数画像形式ファイルから、画像を選択する画像選択手段とを有する。【選択図】図８
2010034977.tif 000002
【特許請求の範囲】
【請求項１】
同一原稿を異なった設定で複数回読み取る原稿読み取り手段と；
読み取った画像データに、画像処理を施す画像処理手段と；
上記画像処理が施された画像データを、記憶する画像データ記憶手段と；
記憶された画像データを読み出す画像読み出し手段と；
読み出した画像を、印刷する画像印刷手段と；
上記原稿読み取り手段が読み取った複数画像に、個別の複数画像形式付属情報を付加する複数画像形式付属情報付加手段と；
複数画像形式付属情報が付加されている複数の画像データを、複数画像形式ファイルとして保存するファイル保存手段と；
上記複数画像形式ファイルから、画像を選択する画像選択手段と；
を有することを特徴とする画像処理装置。
【請求項２】
請求項１において、
上記複数画像形式付属情報付加手段は、期待する画像の出力先を表す画像出力先情報を付加する手段であることを特徴とする画像処理装置。
【請求項３】
請求項１又は請求項２において、
上記ファイル保存手段は、複数の画像を、複数画像形式の１ファイルとして保存する手段であることを特徴とする画像処理装置。
【請求項４】
請求項１〜請求項３のいずれか１項において、
上記画像選択手段は、期待する画像の出力先を表す使用目的情報に基づいて、画像を選択する手段であることを特徴とする画像処理装置。
【請求項５】
同一原稿を異なった設定で複数回読み取る原稿読み取り工程と；
読み取った画像データに、画像処理を施す画像処理工程と；
上記画像処理が施された画像データを、記憶する画像データ記憶工程と；
記憶された画像データを読み出す画像読み出し工程と；
読み出した画像を、印刷する画像印刷工程と；
上記原稿読み取り工程で読み取られた複数画像に、個別の複数画像形式付属情報を付加する複数画像形式付属情報付加工程と；
複数画像形式付属情報が付加されている複数の画像データを、複数画像形式ファイルとして保存するファイル保存工程と；
上記複数画像形式ファイルから、画像を選択する画像選択工程と；
を有することを特徴とする画像処理方法。
【請求項６】
請求項５において、
上記複数画像形式付属情報付加工程は、期待する画像の出力先を表す使用目的情報を付加する機能を有する工程であることを特徴とする画像処理方法。
【請求項７】
請求項５又は請求項６において、
上記ファイル保存工程は、複数の画像を複数画像形式の１ファイルとして保存する工程であることを特徴とする画像処理方法。
【請求項８】
請求項５〜請求項７のいずれか１項において、
上記画像選択工程は、期待する画像の出力先を表す使用目的情報に基づいて画像を選択する工程であることを特徴とする画像処理方法。
【発明の詳細な説明】
【技術分野】
【０００１】
本発明は、画像生成装置、画像表示装置、画像送信装置及び画像記録装置に関する。本発明は、特に、原稿を複数回読み取り、複数の画像データを生成し、上記複数の画像データを１画像ファイルデータとして保存する画像処理装置に関する。本発明は、さらに、保存された画像ファイルデータを読み取り、画像表示装置に表示し、記録紙に記録し、または画像記録装置に送信する画像処理装置に関する。
【背景技術】
【０００２】
近年、スキャナ部とプリント部とを備えた複合機（以下、「ＭＦＰ」という）の多機能化が進んでいる。コピーやＰＣプリント、ＰＣスキャンの基本機能に加え、ＦＡＸ送受信機能、装着したメモリカード内の画像を印刷する機能や、メモリカードにスキャンした画像を保存する機能も提供されている。
【０００３】
特に、メモリカード内の画像を印刷する機能は、近年のデジタルカメラの普及に伴い、様々な印刷形態が提供されている。たとえば、メモリカード内には、複数の画像ファイルが保存され、また各画像ファイルには、サムネール画像や主画像が含まれている。ユーザの指示によって、これらの画像ファイルから１つの画像を印刷し、また複数画像をインデックス形式で印刷することもある。画像に、赤目除去や明るさを調整する機能も提供されている。
【０００４】
これらの印刷機能に使用される画像ファイルは、上記のように、１つの主画像とサムネールとで構成されているが、複数の画像を１つのファイルに保存した構成のデータも考えられる。
【０００５】
一方、これら画像データの用途は様々であり、上記印刷機能のみならず、画像データをメールに添付して送信し、ＦＡＸ画像として送信する機能もある。
【０００６】
画像ファイルデータにメタデータを付加し、メタデータ部分には、画像ファイルデータの複数の使用方法を実現する複数のプログラムを付与する発明が知られている（たとえば、特許文献１参照）。プログラムは、バイナリまたはスクリプトベースの簡易プログラムであり、印刷、メール送信、サーバへの送信を記述している。１画像ファイル内に複数のプログラムを記述することによって、様々な使用目的を実現することができる。
【特許文献１】特開２００６−２５２２０６号公報
【発明の開示】
【発明が解決しようとする課題】
【０００７】
しかし、特許文献１記載の発明では、画像データの使用目的を実現することが可能であるが、使用目的に最適な画像を得ることができないという問題がある。つまり、画像ファイル内のデータが１画像であるので、使用目的が印刷であっても、メール送信であっても、同じ画像が使用される。このために、印刷やメール送信に最適な解像度への変換や、色空間の変換などの処理が発生し、画質低下に繋がる。
【０００８】
また、画像の生成装置としてデジタルカメラのみならず、スキャナが想定される。原本が紙媒体であるスキャナの場合、読み取った画像の使用目的が、印刷、ＦＡＸ送信、画像表示など多岐に渡り、一方で、画像の印刷やＦＡＸの記録時には、原本と同じ出力結果が期待される。
【０００９】
しかし、特許文献１記載の発明では、上記のように、同じ画像が使用されるので、読み取り時の色空間の違いや、解像度の違い、印刷時の色空間や、メディアの違い等によって、原本と同様の画像を生成することができないという問題がある。
【００１０】
たとえば、ＦＡＸでモノクロ送信する場合、モノクロ設定によって読み取るが、画像データを生成するために、一旦、カラー読取の画像を生成し、送信時に、カラーからモノクロへの変換を行う必要がある。また、コピーする場合、出力する紙種や紙サイズによって読取の解像度が異なることが想定される。しかし、生成された画像が１画像であれば、固定の解像度で読み取る必要があるので、出力結果がコピー時と異なるという問題がある。
【００１１】
本発明は、使用目的に最適な読み取り処理を実行することができる画像処理装置を提供することを目的とする。
【課題を解決するための手段】
【００１２】
本発明は、同一原稿を異なった設定で複数回読み取る原稿読み取り手段と、読み取った画像データに、画像処理を施す画像処理手段と、上記画像処理が施された画像データを、記憶する画像データ記憶手段と、記憶された画像データを読み出す画像読み出し手段と、読み出した画像を、印刷する画像印刷手段と、上記原稿読み取り手段が読み取った複数画像に、個別の複数画像形式付属情報を付加する複数画像形式付属情報付加手段と、複数画像形式付属情報が付加されている複数の画像データを、複数画像形式ファイルとして保存するファイル保存手段と、上記複数画像形式ファイルから、画像を選択する画像選択手段とを有することを特徴とする画像処理装置である。
【発明の効果】
【００１３】
本発明によれば、使用目的別の設定に応じて原稿を読み取るので、使用目的に最適な読み取り処理を実行することができるという効果を奏する。
【発明を実施するための最良の形態】
【００１４】
発明を実施するための最良の形態は、次の実施例である。
【実施例１】
【００１５】
図１は、本発明の実施例１であるＭＦＰ１００の概観を示す装置外観図である。
【００１６】
ＭＦＰ１００は、画像処理装置の一例であり、操作部１０１と、カードインタフェース１０２と、読取部１０３と、記録部１０４とを有する。
【００１７】
図１に示すように、読取部１０３、記録部１０４を閉じた状態で設置する。そして、読み取りを実行する場合や、コピーを実行する時、カードからの印刷を実行する場合には、読取部１０３、記録部１０４のうちの少なくとも一方を開き、ユーザが所望する機能を実行する。
【００１８】
図２は、ＭＦＰ１００の構成を示すブロック図である。
【００１９】
同一の構成要素には、同一の符号を付してある。
【００２０】
ＭＦＰ１００は、操作部１０１と、カードインタフェース１０２と、読取部１０３と、記録部１０４とを有する。また、ＭＦＰ１００は、ＣＰＵ２００と、ＲＯＭ２０１と、ＲＡＭ２０２と、不揮発性ＲＡＭ２０３と、表示部２０４と、画像処理部２０５と、圧縮／解凍部２０６と、駆動部２０７と、センサ部２０８とを有する。
【００２１】
ＣＰＵ２００は、ＭＦＰ１００が具備する様々な機能を制御し、操作部１０１における所定の操作に従って、ＲＯＭ２０１に記憶されている画像処理のプログラムを実行する。ＲＯＭ２０１は、ＭＦＰ１００の制御命令プログラム等を格納している。
【００２２】
読取部１０３は、ＣＣＤを具備し、このＣＣＤは、原稿画像を読み取り、赤（Ｒ）、緑（Ｇ）及び青（Ｂ）色のアナログ輝度データを出力する。なお、読取部１０３は、ＣＣＤの代わりに、密着型イメージセンサ（ＣＩＳ）を使用するようにしてもよい。
【００２３】
カードインタフェース１０２は、操作部１０１の操作に応じて、読取部１０３が読み取った画像を、メモリカード等に記憶する。カードインタフェース１０２は、たとえばデジタルスチルカメラで撮影し、メモリカード等に記憶されている画像を、操作部１０１の操作に応じて、読み込む機能を有する。
【００２４】
なお、カードインタフェース１０２を介して記憶された画像データと、カードインタフェース１０２を介して読み込まれた画像データとについて、画像処理部２０５が所望の画像処理を施す。
【００２５】
圧縮／解凍部２０６は、読取部１０３が読み取った画像と、記録部１０４が出力した画像とを、圧縮／解凍処理し、たとえば、ＪＰＥＧの圧縮画像の生成と解凍処理とを実行する。
【００２６】
画像処理部２０５は、読取部１０３が読み取った画像と、圧縮／解凍部２０６が解凍した画像とについて入力画像処理を実行する。また、カードインタフェース１０２を介して、読み取られた画像について、圧縮／解凍部２０６が解凍し、この解凍された画像について出力画像処理も実行する。
【００２７】
入力画像処理と出力画像処理とは、デジタルカメラ等に用いられている色空間（たとえばＹＣｂＣｒ）と、標準的なＲＧＢ色空間（たとえばＮＴＳＣ−ＲＧＢやｓＲＧＢ）との間で変換する。また、画像データの解像度の変換処理、画像データを包括する画像ファイルに含まれているヘッダ情報の生成及び解析処理、画像の解析処理、及び画像補正処理、サムネール画像生成、及び補正処理等の機能を備えている。
【００２８】
これらの画像処理によって得られた画像データは、ＲＡＭ２０２に格納され、カードインタフェース１０２を介して、メモリカードに記憶する場合、必要な所定量に達すると、記録処理が実行される。また、記録部１０４で印刷される場合にも、必要な所定量に達すると、記録部１０４が記録動作を実行する。
【００２９】
また、不揮発性ＲＡＭ２０３は、バッテリバックアップされたＳＲＡＭなどであり、ＭＦＰ１００に固有のデータなどを記憶する。操作部１０１は、記憶媒体に記憶されている画像データを選択し、記録をスタートするためのダイレクト写真印刷スタートキーを有する。また、操作部１０１は、モノクロ画像やカラー画像の読取を開始する時のスキャンスタートキー、コピー時に使用されるモノクロコピースタートキー、カラーコピースタートキーを有する。
【００３０】
また、操作部１０１は、コピーやスキャンの解像度や画質などのモードを指定するモードキー、コピー等の動作を停止するためのストップキー、コピー数を入力するテンキーや登録キー、印刷する画像ファイル選択手段を指定するカーソルキー等も有する。ＣＰＵ２００は、これらのキーの押下状態を検出し、この押下状態に応じて、各部を制御する。
【００３１】
記録部１０４は、インクジェット方式のインクジェットヘッド、汎用ＩＣなどによって構成され、ＣＰＵ２００の制御によって、ＲＡＭ２０２に格納されている記録データを、読み出し、ハードコピーとして印刷出力する。
【００３２】
駆動部２０７は、読取部１０３、記録部１０４のそれぞれの動作において、給排紙ローラを駆動するためのステッピングモータと、ステッピングモータの駆動力を伝達するギヤと、ステッピングモータを制御するドライバ回路などによって構成されている。
【００３３】
センサ部２０８は、記録紙幅センサ、記録紙有無センサ、原稿幅センサ、原稿有無センサ、記録媒体検知センサ等によって構成されている。ＣＰＵ２００は、これらセンサから得られた情報に基づいて、原稿と記録紙との状態を検知する。
【００３４】
表示部２０４は、操作部１０１のキー押下状態に応じて内容を表示する。また、ＭＦＰ１００が行っている処理の内容等も表示する。
【００３５】
なお、読取部１０３は、同一原稿を異なった設定で複数回読み取る原稿読み取り手段の例である。画像処理部２０５は、読み取った画像データに、画像処理を施す画像処理手段の例である。ＲＡＭ２０２または不揮発性ＲＡＭ２０３は、上記画像処理が施された画像データを、記憶する画像データ記憶手段の例である。ＣＰＵ２００は、記憶された画像データを読み出す画像読み出し手段の例である。
【００３６】
また、記録部１０４は、読み出した画像を、印刷する画像印刷手段の例である。ＣＰＵ２００は、上記原稿読み取り手段が読み取った複数画像に、個別の複数画像形式付属情報を付加する複数画像形式付属情報付加手段の例である。
【００３７】
さらに、ＲＡＭ２０２または不揮発性ＲＡＭ２０３は、複数画像形式付属情報が付加されている複数の画像データを、複数画像形式ファイルとして保存するファイル保存手段の例である。ＣＰＵ２００は、上記複数画像形式ファイルから、画像を選択する画像選択手段の例である。
【００３８】
この場合、上記複数画像形式付属情報付加手段は、期待する画像の出力先を表す画像出力先情報を付加する手段である。また、上記ファイル保存手段は、複数の画像を、複数画像形式の１ファイルとして保存する手段である。さらに、上記画像選択手段は、期待する画像の出力先を表す使用目的情報に基づいて、画像を選択する手段である。
【００３９】
図３は、実施例１における複数画像形式を説明する図である。
【００４０】
図３（ａ）は、複数画像形式を示す図である。複数画像形式は、ＳＯＩマーカで始まりＥＯＩマーカで終わる複数のＪＰＥＧが連結されている。ファイル先頭のＳＯＩマーカの後に、第１画像のＥｘｉｆ付属情報４０１と、第１画像の複数画像形式付属情報４０２と、ＪＰＥＧで圧縮された第１画像とが存在する。ＪＰＥＧで圧縮された第１画像の後に、ＥＯＩマーカが存在する。第１画像のＥＯＩマーカの後に、第２画像のＳＯＩマーカが存在し、その後に、第２画像のＥｘｉｆ付属情報、第２画像の複数画像形式付属情報４０３、ＪＰＥＧで圧縮された第２画像が存在する。
【００４１】
第１画像のＥＯＩマーカと第２画像のＳＯＩマーカとの間に、別の情報が存在するようにしてもよい。第２画像のＥＯＩマーカの後に、第３画像のＳＯＩマーカが存在し、その後に、第３画像のＥｘｉｆ付属情報、複数画像形式付属情報４０３、ＪＰＥＧで圧縮された第３画像が存在する。第２画像のＥＯＩマーカと第３画像のＳＯＩマーカとの間に、別の情報が存在するようにしてもよい。上記と同様に、第２画像、第３画像、……と続き、第ｎ画像まで存在する。
【００４２】
図３（ｂ）は、第１画像の複数画像形式付属情報を示す図である。第１画像の複数画像形式付属情報４０２には、ＡＰＰ２マーカ、複数画像形式であることを示す識別子がある。識別子は、図３（ｂ）中で、複数画像形式と示してある。さらに、ヘッダ、インデックスＩＦＤ４０４、第１画像ＩＦＤがある。このインデックスＩＦＤ４０４は、第１画像から第ｎ画像までの全体構成を示す。
【００４３】
図３（ｃ）は、第１画像以外の複数画像形式付属情報４０３を示す図である。第１画像以外の複数画像形式付属情報４０３には、ＡＰＰ２マーカ、複数画像形式であることを示す識別子がある。識別子は、図３中（ｃ）では、複数画像形式と示してある。さらに、ヘッダ、第ｎ画像ＩＦＤがある。この第ｎ画像ＩＦＤには、第ｎ画像の固有の情報が含まれ、たとえば、その画像がファイルの中で何番目の画像であるのかを示す情報が含まれている。
【００４４】
図４は、複数画像形式のインデックスＩＦＤを説明する図である。
【００４５】
複数画像形式のインデックスＩＦＤは、第１画像の複数画像形式付属情報のみが有する。
【００４６】
図４（ａ）は、インデックスＩＦＤの内部構造を示す図である。これは、図３におけるインデックスＩＦＤ４０４に対応している。インデックスＩＦＤ４０４には、複数画像形式のバージョン、ファイルに含まれる画像数、第１画像のエントリへのオフセット、第１画像〜第ｎ画像のそれぞれのユニークＩＤリスト、総コマ数、次のＩＦＤへのオフセット値が記憶されている。
【００４７】
さらに、ＩＦＤの値として、第１画像〜第ｎ画像のそれぞれのエントリ４０６、第１画像〜第ｎ画像のユニークＩＤが記憶されている。第１画像の複数画像形式付属情報と、第２画像以降の複数画像形式付属情報とは、内部に含まれている情報が異なる。
【００４８】
図４（ｂ）は、第１画像〜第ｎ画像のそれぞれのエントリ４０６の構造を示す図である。第１画像〜第ｎ画像のそれぞれのエントリ４０６には、画像の種別４０７、画像データオフセット、下位画像１エントリ番号、下位画像２エントリ番号が記憶されている。
【００４９】
なお、下位画像は、該画像（着目している画像）に対して、従属的な関係にある画像であり、たとえばモニタに表示するための表示用画像である。この表示用画像は、上位にある画像（以下、上位画像という）と同じ内容であるが、低い解像度で作成されている。モニタ表示は、印刷に比べて高い解像度が求められず、さらには、表示するまでの処理時間を短縮することが求められているので、同じファイル内に、上記のような表示用画像を下位画像として含むことは有効である。
【００５０】
下位画像１エントリ番号、下位画像２エントリ番号は、該画像（着目している画像）に対して下位画像となる画像が、何番目の画像であるかを示す番号である。
【００５１】
図４（ｃ）は、画像の種別４０７の内部構造を示す図である。
【００５２】
画像の種別４０７には、メイン画像フラグ、下位画像フラグ、上位画像フラグが記憶されている。
【００５３】
ここでは、上記上位画像、下位画像に加え、メイン画像が定義されている。つまり、複数画像形式ファイルにおいて、全ての画像が並列の関係でないことが有効であると考えられるので、メイン画像が定義されている。たとえば、モニタ表示をする際に、ユーザは、ファイルに含まれている複数の画像から、表示される画像を選択できるものの、ユーザにとっては、初めに表示される画像が重要である。たとえば、ブラケット撮影機能を利用して、ホワイトバランスを＋、−に数段階変えて撮影し、保存したファイルである場合、ユーザが画像を選択する場合、まず初めにホワイトバランスが、基準となる０の位置にある画像が表示されることが望ましいと考えられる。このように、複数の画像の中で、中心となる画像を、他の画像と区別する必要がある。そこで、上記中心となる画像をメイン画像として定義する。
【００５４】
メイン画像フラグは、該画像がメイン画像であれば１が記憶され、そうでなければ、０が記憶されている。下位画像フラグは、該画像が他の画像の下位に位置付けられていれば、１が記憶され、そうでなければ、０が記憶されている。上位画像フラグは、該画像が他の画像の上位に位置付けられていれば、１が記憶され、そうでなければ、０が記憶されている。
【００５５】
図５は、実施例１で作成された複数画像形式ファイルを示す図である。
【００５６】
図６は、実施例１において、使用目的と変更項目との関係を示す図である。
【００５７】
図７は、実施例１において、メイン画像を生成する動作を示すフローチャートである。
【００５８】
まず、操作部のボタン押下によって、ユーザによる読取開始命令を受けると、Ｓ７０１で、操作部の設定を入手する。
【００５９】
Ｓ７０２で、図６に示すテーブルを検索し、使用目的がドキュメント用である変更項目の設定情報を入手する。解像度は、３００ｄｐｉ、色空間は、ｓＲＧＢ、カラー、ＪＰＥＧの圧縮率は、８０％である。Ｓ７０３で、読取を実行する。Ｓ７０４で、全画像データを保存したかどうかを判断し、保存していなければ、Ｓ７０５〜Ｓ７０８で、１バンドデータの入力画像処理を実行し、圧縮率８０％での圧縮を実行し、ＲＡＭに保存する処理を繰り返す。
【００６０】
Ｓ７０６の入力画像処理は、画像補正や画像加工などの処理、またはデバイスの色空間から標準色空間に変換する処理等であるが、これらの処理には、公知の技術を利用することができる。この処理によって、図５に示すドキュメント画像の画像データ５０２が生成される。全データの保存が完了すると、Ｓ７０９とＳ７１０で、Ｅｘｉｆの付属情報、複数画像形式付属情報を生成し、Ｓ７１１で、メイン画像としてＲＡＭに保存する。なお、Ｅｘｉｆの付属情報には、使用目的がドキュメントであることを示す情報が付加されている。以上でメイン画像部分の生成が完了する。
【００６１】
次に、目的別画像生成処理について説明する。
【００６２】
図８は、実施例１において、目的別画像を生成する動作を示すフローチャートである。
【００６３】
まず、Ｓ８０１で、表示用画像が生成済みか否かを判断し、生成されていなければ、Ｓ８０２で、図６のテーブルを検索し、使用目的が表示用である変更項目設定情報を入手する。Ｓ８０３で、後述の処理のために、使用目的を表示用と定める。Ｓ８０４で、テーブルから検索した情報を使用して、読み取りを実行する。Ｓ８０５〜Ｓ８１２での画像生成処理は、図７に示すドキュメント用画像生成の動作と同様であるので、その説明を省略するが、Ｓ８１２で使用される使用目的は、Ｓ８０３において決定した使用目的である。
【００６４】
上記と同様に、Ｓ８１３〜Ｓ８１５で、使用目的をコピー用に定めて画像を生成し、また、Ｓ８１６〜Ｓ８１８で、使用目的をＦＡＸ用に定めて画像を生成する。Ｓ８１６で、全ての画像の生成が完了すれば、Ｓ８１９で、複数画像形式としてファイルに保存する。
【００６５】
保存先は、メモリカードであるが、ＲＡＭ上でもよく、その他のストレージデバイスでもよい。
【００６６】
以上の処理が、実施例１における複数画像形式生成の動作である。また、このフローチャートによって、図５に示す複数画像形式ファイルが生成される。
【００６７】
次に、上記のフローチャートで生成され、図５に示す複数画像形式ファイルの使用について説明する。
【００６８】
図９は、実施例１において、目的別画像を利用する動作を示すフローチャートである。
【００６９】
Ｓ９０１で、操作部１０１から使用目的情報を入手する。使用目的情報は、図５に示すカード内に保存されている複数画像形式ファイルのコピー／印刷、ＦＡＸ送信、画像表示のいずれかの開始命令であり、また各命令に必要なパネル設定情報である。
【００７０】
Ｓ９０２で、使用目的が表示であるか否かを判断し、表示であれば、Ｓ９０３で、検索対象の画像を表示用に決定し、Ｓ９０４で、複数画像形式ファイルの画像の検索を実行する。
【００７１】
画像検索は、図５に示すそれぞれの画像のＥｘｉｆの付属情報に含まれている使用目的情報に表示と記述されたものを検索する処理である。ここでは、Ｓ９０３で、検索対象画像が表示用に決定されたものとして説明を進める。
【００７２】
Ｓ９０５で、検索対象画像が存在するか否かを判断し、存在すれば、Ｓ９０６で、この画像を使用する画像とし、Ｓ９０７で、画像変換が必要であるか否かを示す画像変換フラグをＮＯとする。一方、存在しなければ、Ｓ９０８で、ドキュメント用画像を、使用する画像に決定し、Ｓ９０９で、画像変換フラグをＹＥＳとする。
【００７３】
Ｓ９１０で、全ての画像データの処理が完了したか否かを判断し、完了していなければ、Ｓ９１１でドキュメント用画像１バンド分のＪＰＥＧデータを解凍する。次に、Ｓ９１２で、画像変換が必要であると判断されると、Ｓ９１５で、使用目的に利用可能なデータへ変換する。この変換は、解像度、色空間等が、図６に示す表示を使用目的とした変更項目に合致するように、ドキュメント用の画像を変更する処理である。つまり、Ｓ９０５で使用目的に合った画像が検索できないので、仕方なく、Ｓ９１５で使用目的に合致するように変換する。Ｓ９１３で、出力画像処理を実行し、Ｓ９１４で、画像を表示する。上記処理を繰り返すことによって、１画像の全てを表示することができる。
【００７４】
また、Ｓ９１６〜Ｓ９１９は、コピー／印刷が使用目的である場合と、ＦＡＸ送信が使用目的である場合との検索対象画像の決定方法であり、Ｓ９０４以降の処理は、表示用と同様である。
【００７５】
なお、Ｓ９１３で、出力画像処理は、印刷の場合、多値のＲＧＢデータを印字可能なＣＭＹＫのインクデータに変換する処理を含む。また、ＦＡＸ送信であれば、カラーからモノクロへの変換や、送信用の２値データの生成などを含む処理であるが、これには、公知技術を利用することができる。
【００７６】
上記複数画像形式使用のフローチャートと、上記生成フローチャートとを組み合わせて使用することによって、本提案の目的である最適な画像を利用することができる。
【実施例２】
【００７７】
次に、本発明の実施例２について説明する。
【００７８】
実施例２は、実施例１の使用目的を、複数の異なるコピーと定めた実施例である。
【００７９】
まず、実施例１における図１〜図４の説明は、実施例２においても同様であるので、説明を省略する。
【００８０】
次に、実施例２の内容を詳細に説明する。
【００８１】
図１４は、実施例２で作成された複数画像形式ファイルを示す図であり、図３に挙げた複数画像形式である。
【００８２】
図１１は、メイン画像生成の動作を示すフローチャートである。
【００８３】
まず、図１１に示すＳ１１０１からの処理は、実施例１における図７の処理と同様であるので説明を省略するが、参照されるテーブルは、図１０である。
【００８４】
図１０は、使用目的と変更項目の関係を示すテーブルの図である。
【００８５】
次に、目的別画像生成処理について説明する。
【００８６】
図１２は、実施例２において、目的別画像生成の処理を示すフローチャートである。
【００８７】
まず、Ｓ１２０１で、全てのコピー用画像が生成済みか否かを判断し、生成されていなければ、Ｓ１２０２で、図１０に示すテーブルを検索し、１つの未生成画像の変更項目設定情報を入手する。Ｓ１２０３で、後述する処理のために、使用目的をコピー用と定める。Ｓ１２０４で、テーブルから検索した情報を使用して読み取りを実行する。
【００８８】
Ｓ１２０５〜Ｓ１２０９の処理は、実施例１の図７と同様であるので、その説明を省略する。Ｓ１２１０〜Ｓ１２１２で、使用目的をコピーと定めるが、使用目的情報には、Ｓ１２０２で入手した設定情報も追加する。
【００８９】
上記処理が、実施例２における複数画像形式生成の動作である。
【００９０】
また、上記フローチャートに示す処理によって、図１４に示す複数画像形式ファイルが生成される。
【００９１】
次に、実施例２において、複数画像形式ファイルの使用について説明する。
【００９２】
図１３は、実施例２において、目的別画像利用の動作を示すフローチャートである。
【００９３】
Ｓ１３０１で、操作部から使用目的情報を入手する。使用目的情報は、図１４に示すカード内に保存されている複数画像形式ファイルのコピー開始命令であり、また各命令に必要なパネル上の設定情報である。
【００９４】
Ｓ１３０２で、出力する紙種類が普通紙であるか否かを判断し、普通紙であれば、Ｓ１３０３で、紙種が普通紙であると定める。また普通紙でなければ、Ｓ１３０４で、紙種が写真紙であると定める。これと同様に、Ｓ１３０５〜Ｓ１３０７で、出力する色を、カラーまたはモノクロであると定める。また、Ｓ１３０８〜Ｓ１３１２で、出力品位を標準、はやい、またはきれいであると定める。
【００９５】
Ｓ１３１３で、上記設定に基づいて、実施例１と同様に、複数画像形式ファイル内の使用目的情報を検索し、Ｓ１３１４で、条件に合致した画像を印刷対象画像として決定する。Ｓ１３１５で、全ての画像データの処理が完了したか否かを判断し、完了していなければ、Ｓ１３１６で、１バンド分のＪＰＥＧデータを解凍し、Ｓ１３１７で、出力画像処理を実行し、Ｓ１３１８で、１バンド分のデータを印字する。
【００９６】
上記処理を繰り返すことによって、全画像データを印字する。なお、Ｓ１３１７で、出力画像処理と、多値のＲＧＢデータを印字可能なＣＭＹＫのインクデータに変換する処理とを実行する。以上が実施例２における複数画像形式使用の動作であり、上記生成フローチャートと組み合わせて使用することによって、最適なコピー出力が可能になる。
【００９７】
上記実施例によれば、使用目的別の設定によって原稿を読み取るので、使用目的に最適な読み取り処理を実行することができる。
【００９８】
また、上記実施例によれば、使用目的別の読み取り画像に対して、使用目的に最適な入力画像処理を施すので、使用目的に最適な画像を得ることができる。
【００９９】
さらに、上記実施例によれば、読み取った目的別複数画像を、１つの複数画像形式ファイルとして保存するので、使用時に、目的に最適な画像を使用することができる。
【０１００】
しかも、上記実施例によれば、読み取った複数画像を、１つの複数画像形式ファイルとして保存するので、ユーザが複数の画像ファイルを管理する手間を省くことができ、また、ユーザの利便性が向上する。
【０１０１】
そして、上記実施例において、上記手段を工程に置き換えれば、上記実施例を画像処理方法の発明として把握することができる。
【図面の簡単な説明】
【０１０２】
【図１】本発明の実施例１であるＭＦＰ１００の概観を示す装置外観図である。
【図２】ＭＦＰ１００の構成を示すブロック図である。
【図３】実施例１における複数画像形式を説明する図である。
【図４】複数画像形式のインデックスＩＦＤを説明する図である。
【図５】実施例１で作成された複数画像形式ファイルを示す図である。
【図６】実施例１において、使用目的と変更項目との関係を示す図である。
【図７】実施例１においてメイン画像を生成する動作を示すフローチャートである。
【図８】実施例１において目的別画像を生成する動作を示すフローチャートである。
【図９】実施例１において目的別画像を利用する動作を示すフローチャートである。
【図１０】使用目的と変更項目の関係を示すテーブルの図である。
【図１１】メイン画像生成の動作を示すフローチャートである。
【図１２】実施例２において、目的別画像生成の処理を示すフローチャートである。
【図１３】実施例２において、目的別画像利用の動作を示すフローチャートである。
【図１４】実施例２で作成された複数画像形式ファイルを示す図であり、図３に挙げた複数画像形式である。
【符号の説明】
【０１０３】
１００…ＭＦＰ、
１０１…操作部、
１０２…カードインタフェース、
１０３…読取部、
１０４…記録部、
２００…ＣＰＵ、
２０１…ＲＯＭ、
２０２…ＲＡＭ、
２０３…不揮発性ＲＡＭ、
２０４…表示部、
２０５…画像処理部、
２０６…圧縮／解凍部、
２０７…駆動部、
２０８…センサ部、
４０１…複数画像形式に含まれる第１画像のＥｘｉｆ付属情報、
４０２…第１画像の複数画像形式付属情報、
４０３…第１画像以外の複数画像形式付属情報、
４０４…インデックスＩＦＤ、
４０６…エントリ、
４０７…画像の種別。
【図１】
2010034977.tif 000003
【図２】
2010034977.tif 000004
【図３】
2010034977.tif 000005
【図４】
2010034977.tif 000006
【図５】
2010034977.tif 000007
【図６】
2010034977.tif 000008
【図７】
2010034977.tif 000009
【図８】
2010034977.tif 000010
【図９】
2010034977.tif 000011
【図１０】
2010034977.tif 000012
【図１１】
2010034977.tif 000013
【図１２】
2010034977.tif 000014
【図１３】
2010034977.tif 000015
【図１４】
2010034977.tif 000016